(57)【要約】【課題】この発明は、設定内容登録機能によって登録されている設定内容を呼び出すための操作が簡単となる画像形成装置を提供することを目的とする。【解決手段】タッチパネル付きの表示器を有する操作部を備えており、操作部によって設定した設定内容をショートカットキーに対応させて登録しておくといった設定内容登録機能を備えた画像形成装置において、タッチパネルを押してすぐに離す操作をクリックと定義すると、設定内容登録機能によって設定されている所定の設定内容を呼び出すためのクリックパターンが予め定められており、タッチパネルの任意の場所が予め定められたクリックパターンで押された場合に、それに対応する設定内容を呼び出す手段を備えている。【選択図】  図１
2004280492.tif 000002
【特許請求の範囲】
【請求項１】
タッチパネル付きの表示器を有する操作部を備えており、操作部によって設定した設定内容をショートカットキーに対応させて登録しておくといった設定内容登録機能を備えた画像形成装置において、タッチパネルを押してすぐに離す操作をクリックと定義すると、設定内容登録機能によって設定されている所定の設定内容を呼び出すためのクリックパターンが予め定められており、タッチパネルの任意の場所が予め定められたクリックパターンで押された場合に、それに対応する設定内容を呼び出す手段を備えていることを特徴とする画像形成装置。
【請求項２】
クリックパターンが、連続してクリックされる回数によって決定されていることを特徴とする請求項１に記載の画像形成装置。
【発明の詳細な説明】
【０００１】
【産業上の利用分野】
この発明は、複写機等の画像形成装置に関する。
【０００２】
【従来の技術】
複写機としてタッチパネル付きの表示器を有する操作部を備えたものがある。また、この種の複写機として、操作部で設定した設定内容を、ショートカットキーに対応させて登録しておくといった機能（設定内容登録機能）を備えたものがある。設定内容登録機能によって登録された内容は、操作画面上に表示されるショートカットキーを押すことによって、呼び出すことが可能である。このため、ユーザは、複雑な操作を行うことによって得られる設定内容を、設定内容登録機能によって登録しておくことにより、その設定内容と同じ設定内容でコピーを行う際の操作が簡単となる。
【０００３】
従来においては、設定内容登録機能によって登録されている設定内容を呼び出すためには、ユーザは、ショートカットキー提示画面を表示させてから、所望のショートカットキーを操作しなければならず、その操作が面倒であった。
【０００４】
例えば、図３の上側に示すように、タッチパネル付きの表示器に、コピー操作の基本画面が表示されている状態において、プログラムタブ１００を押すと、図３の下側に示されているように、ショートカットキー１０１〜１０８を含むショートカットキー提示画面が表示される。ショートカットキー提示画面において、所望のショートカットキーを操作すると、当該ショートカットキーに対応する設定内容が呼び出される。
【０００５】
【発明が解決しようとする課題】
この発明は、設定内容登録機能によって登録されている設定内容を呼び出すための操作が簡単となる画像形成装置を提供することを目的とする。
【０００６】
【課題を解決するための手段】
請求項１に記載の発明は、タッチパネル付きの表示器を有する操作部を備えており、操作部によって設定した設定内容をショートカットキーに対応させて登録しておくといった設定内容登録機能を備えた画像形成装置において、タッチパネルを押してすぐに離す操作をクリックと定義すると、設定内容登録機能によって設定されている所定の設定内容を呼び出すためのクリックパターンが予め定められており、タッチパネルの任意の場所が予め定められたクリックパターンで押された場合に、それに対応する設定内容を呼び出す手段を備えていることを特徴とする。
【０００７】
請求項２に記載の発明は、請求項１に記載の画像形成装置において、クリックパターンが、連続してクリックされる回数によって決定されていることを特徴とする。
【０００８】
【発明の実施の形態】
以下、図面を参照して、この発明の実施の形態について説明する。
【０００９】
図１は、複写機の本発明に関係する部分の電気的構成を示している。
【００１０】
複写機は、ＣＰＵ１によって制御される。ＣＰＵ１は、そのプログラム等を記憶するＲＯＭ２、必要なデータを記憶するＲＡＭ３および必要なデータを記憶する不揮発性メモリ４を備えている。
【００１１】
また、複写機は、操作部（操作パネル）１０を備えている。操作部１０は、図示しないキーの他、タッチパネル１１を有するＬＣＤ表示器１２およびタッチパネル１１からの信号をＡ／Ｄ変換してＣＰＵ１に送るＡ／Ｄ変換器１３を備えている。
【００１２】
この複写機は、操作部１０で設定した設定内容を、ショートカットキーに対応させて、不揮発性メモリ４に登録しておくといった機能（設定内容登録機能）を備えている。この複写機においても、従来と同様な方法で、設定内容登録機能によって登録されている設定内容を呼び出すことは可能である。つまり、図３の上側に示すように、タッチパネル付きのＬＣＤ表示器１２に、コピー操作の基本画面が表示されている状態において、プログラムタブ１００を押すと、図３の下側に示されているように、ショートカットキー１０１〜１０８を含むショートカットキー提示画面が表示される。ショートカットキー提示画面において、所望のショートカットキーを操作すると、当該ショートカットキーに対応する設定内容が呼び出される。
【００１３】
この複写機では、さらに、設定内容登録機能によって登録されている設定内容のうち、よく使用される２種類の設定内容（ショートカットキー１０１、１０２に対応する設定内容）を、より簡単な操作で呼び出すことができるようになっている。
【００１４】
つまり、タッチパネル１１内の任意の場所を押してすぐに離す操作をクリックと定義すると、タッチパネル１１内の任意の場所を連続して２回クリック（以下、ダブルクリックという）することにより、ショートカットキー１０１に対応する設定内容が呼び出され、タッチパネル１１内の任意の場所を連続して３回クリック（以下、トリプルクリックという）することにより、ショートカットキー１０２に対応する設定内容が呼び出される。
【００１５】
図２は、タッチパネルが操作された場合のＣＰＵ１による処理手順を示している。
【００１６】
タッチパネル１１の任意の場所がクリックされると（ステップ１）、ダブルクリック判定用の第１の所定時間Ｔ１の計測が開始される（ステップ２）。ステップ１でクリックされた場所がボタン部分である場合には（ステップ３でＹＥＳ）、そのボタンがクリックされたときに行うべき処理を実行する（ステップ４）。ステップ１でクリックされた場所がボタン部分でない場合には、ステップ５に移行する。
【００１７】
ステップ５では、タッチパネル１１の任意の場所が押されたか否かを判別する。タッチパネル１１が押されていない場合には、第１の所定時間Ｔ１が経過したか否かを判定する（ステップ６）。
【００１８】
タッチパネル１１が押されることなく、第１の所定時間Ｔ１が経過した場合には（ステップ６でＹＥＳ）、ステップ１に戻る。第１の所定時間Ｔ１が経過する前に、タッチパネル１１が押された場合には（ステップ５でＹＥＳ）、トリプルクリック判定用の第２の所定時間Ｔ２の計測が開始される（ステップ７）。
【００１９】
そして、タッチパネル１１の任意の場所が押されたか否かを判別する（ステップ８）。タッチパネル１１が押されていない場合には、第２の所定時間Ｔ２が経過したか否かを判定する（ステップ９）。
【００２０】
タッチパネル１１が押されることなく、第２の所定時間Ｔ２が経過した場合には（ステップ９でＹＥＳ）、ダブルクリックに対応した設定内容（ショートカットキー１０１に対応した設定内容）を呼び出す（ステップ１０）。つまり、ショートカットキー１０１に対応した設定内容を不揮発性メモリ４から読み出し、読み出した設定内容を、ＲＡＭ３上の現在の設定内容の記憶領域に上書きする。そして、ステップ１に戻る。
【００２１】
第２の所定時間Ｔ２が経過する前に、タッチパネル１１が押された場合には（ステップ８でＹＥＳ）、トリプルクリックに対応した設定内容（ショートカットキー１０２に対応した設定内容）を呼び出す（ステップ１１）。つまり、ショートカットキー１０２に対応した設定内容を不揮発性メモリ４から読み出し、読み出した設定内容を、ＲＡＭ３上の現在の設定内容の記憶領域に上書きする。
そして、ステップ１に戻る。
【００２２】
上記実施の形態によれば、設定内容登録機能によって登録されている所定の設定内容を、タッチパネル１１がダブルクリックまたはトリプルクリックすることによって呼び出すことができるので、その操作が簡単となる。
【００２３】
なお、所定の設定内容を呼び出すためのタッチパネルのクリックパターンは、ダブルクリックまたはトリプルクリックに限らない。
【００２４】
【発明の効果】
この発明によれば、設定内容登録機能によって登録されている設定内容を呼び出すための操作が簡単となる。
【図面の簡単な説明】
【図１】複写機の本発明に関係する部分の電気的構成を示すブロック図である。
【図２】タッチパネルが操作された場合のＣＰＵ１による処理手順を示すフローチャートである。
【図３】設定内容登録機能によって登録されている設定内容を呼び出すための通常の方法を説明するための模式図である。
【符号の説明】
１  ＣＰＵ
２  ＲＯＭ
３  ＲＡＭ
４  不揮発性メモリ
１０  操作部（操作パネル）
１１  タッチパネル
１２  ＬＣＤ表示器
１３  Ａ／Ｄ変換器
【図１】
2004280492.tif 000003
【図２】
2004280492.tif 000004
【図３】
2004280492.tif 000005